(57)【要約】【課題】シャッターによる擦れ粉の発生がなく、ケース内外間の隔絶性が高く、また落下による破損も起き難い磁気ディスクカートリッジを得る。【解決手段】円盤状の磁気ディスクメディア１５と、この磁気ディスクメディア１５を回転可能に収容した例えば上下シェルハーフ１１、１２からなるケースとを備えてなる磁気ディスクカートリッジにおいて、上記ケースが樹脂製のケース本体部１１ａ、１２および、このケース本体部１１ａ、１２と一体的に形成されて少なくともケースの一側面部分を構成する樹脂製のシャッター部１１ｂとから構成する。そして上記シャッター部１１ｂは、磁気ディスクメディア１５の表面に略平行で樹脂薄肉部からなる１つのヒンジ軸Ｈを中心に揺動して、上記側面部分を開放する開位置と、ケース本体部に密接してこの側面部分を閉じる閉位置とを取り得るように、ケース本体部とヒンジ結合する。【選択図】　　　　　図２
2004013992.tif 000002
【特許請求の範囲】
【請求項１】
円盤状の磁気ディスクメディアと、
この磁気ディスクメディアを回転可能に収容したケースとを備えてなる磁気ディスクカートリッジにおいて、
前記ケースが樹脂製のケース本体部および、このケース本体部と一体的に形成されて少なくともケースの一側面部分を構成する樹脂製のシャッター部とから構成され、
前記シャッター部が、前記磁気ディスクメディアの表面に略平行で樹脂薄肉部からなる１つのヒンジ軸を中心に揺動して、前記側面部分を開放する開位置と、ケース本体部に密接してこの側面部分を閉じる閉位置とを取り得るように、前記ケース本体部とヒンジ結合されていることを特徴とする磁気ディスクカートリッジ。
【発明の詳細な説明】
【０００１】
【発明の属する技術分野】
本発明は、ケース内に磁気ディスクメディアを収容してなり、この磁気ディスクメディアを回転させて磁気記録再生に利用する磁気ディスクカートリッジに関するものである。
【０００２】
【従来の技術】
従来、フレキシブルなポリエステルシート等からなる円盤状の支持体の両面に磁性体層が形成された可撓性磁気ディスクメディアを、例えば上下シェルハーフを接合してなる、磁気ヘッド挿入用の窓部を有するケース内に回転自在に収容してなる磁気ディスクカートリッジが提供されている。この種の磁気ディスクカートリッジは、その取扱いの容易性、低コストといった利点から、主としてコンピュータ用の記録媒体として用いられている。
【０００３】
上記構成の磁気ディスクカートリッジは、一般に磁気ディスクメディアおよびケースに加えて、磁気ヘッド挿入用の窓部を開閉するシャッターや、このシャッターを開閉動作させるシャッター駆動部材等を備えたものとされる。また上記ケースの中央部には、ドライブ装置に装填された際に、該装置の磁気ディスクメディアを回転させる回転スピンドル部を受け入れる開口が設けられる。
【０００４】
従来の磁気ディスクカートリッジにおいて、多くの場合、上記ケースは樹脂から形成され、一方シャッターは金属から形成されて、扁平なケースの上面および底面に（ケースが上下シェルハーフからなる場合はそれら両方に）形成された磁気ヘッド挿入用窓部を開閉するように、内部の磁気ディスクメディアの表面と平行な方向にスライド自在に設けられている。またこのような構造とされたシャッターは、バネによって、磁気ヘッド挿入用窓部を閉じる閉位置に向けて付勢されている。それにより、カートリッジ非使用時は磁気ヘッド挿入用窓部がシャッターによって閉じられ、カートリッジ内部の防塵および磁気ディスクメディアの保護が図られる。
【０００５】
【発明が解決しようとする課題】
しかし、上記の構造を有するシャッターおよびバネを備えた従来の磁気ディスクカートリッジにおいては、シャッターがケースに対して摺動することから、ケースが擦れて微細な擦れ粉を発生し、それがケース内部に入って磁気ディスクメディアの表面に付き、ディスク特性を劣化させることがある。また、シャッターをケースに対して摺動させる上で、両者の間にはある程度のクリアランスを設定しておく必要があり、そのためにケース内外間の隔絶性が低くなり、塵埃等がケース内に侵入しやすくなるという問題も認められる。
【０００６】
さらに、シャッターおよびバネがケースと別体に形成されているので、磁気ディスクカートリッジを落下させてしまったような場合、シャッターおよびバネがケースから脱落しやすくなっている。この落下時の問題を防止するために、シャッターとケースとの接触面積を減少させる、シャッターの隅部を丸く面取りされた形状とする、シャッター表面に摺動性を高める加工を施す、シャッターとケースとの嵌合力やバネ固定力を強化する、等の種々の方策が考えられて来たが、十分な効果が得られていないのが実状である。
【０００７】
本発明は上記の事情に鑑みて、シャッターによる擦れ粉の発生がなく、ケース内外間の隔絶性が高く、また落下による破損も起き難い磁気ディスクカートリッジを提供することを目的とする。
【０００８】
【課題を解決するための手段】
本発明による磁気ディスクカートリッジは、
前述したような円盤状の磁気ディスクメディアと、
この磁気ディスクメディアを回転可能に収容したケースとを備えてなる磁気ディスクカートリッジにおいて、
前記ケースが樹脂製のケース本体部および、このケース本体部と一体的に形成されて少なくともケースの一側面部分を構成する樹脂製のシャッター部とから構成され、
前記シャッター部が、前記磁気ディスクメディアの表面に略平行で樹脂薄肉部からなる１つのヒンジ軸を中心に揺動して、前記側面部分を開放する開位置と、ケース本体部に密接してこの側面部分を閉じる閉位置とを取り得るように、前記ケース本体部とヒンジ結合されていることを特徴とするものである。
【０００９】
なお上記のシャッター部とケース本体部には、シャッター部が閉位置に設定されると互いに係合して、このシャッター部を閉位置状態に保つ係合部を設けておくことが好ましい。
【００１０】
また上記のケース本体部およびシャッター部の材料には、公知の樹脂を適用可能であるが、好ましくは熱可塑性樹脂、さらに好ましくはポリエチレンやポリプロピレンが用いられる。
【００１１】
【発明の効果】
本発明の磁気ディスクカートリッジにおいては、ケースとシャッターとが樹脂を用いて一体的に形成されて、シャッターがケースに対して揺動して開閉するように構成されているので、従来の磁気ディスクカートリッジのように、シャッターの摺動に起因して擦れ粉が発生することがない。また上記のようなシャッター開閉構造を採用しているので、シャッターをケースに対して摺動させる場合のようにそれら両者間にクリアランスを設定する必要が無く、そこでケース内外間の隔絶性が高くて、磁気ディスクメディアに対する防塵効果が高いものとなる。さらに、ケースとシャッターとが別部品になっていないので、落下による破損も起き難いものとなる。
【００１２】
【発明の実施の形態】
以下、図面を参照して本発明の実施の形態について詳細に説明する。
【００１３】
図１は本発明の一実施の形態による磁気ディスクカートリッジ１の平面形状を示すものであり、また図２は、その一部の側断面形状を示すものである。この磁気ディスクカートリッジ１は、比較的小径の１．８インチタイプの磁気ディスクメディアを回転可能にケースに収納してなるものであり、図示の通り上シェルハーフ１１と、下シェルハーフ１２と、押込み部１３とからなる扁平形状のハウジング（ケース）１０を有している。
【００１４】
このケース１０の内部には、センタコア１４に固着保持された磁気ディスクメディア１５が回転自在に収納されている。またケース１０の左右側面の一つには、図示しないドライブ装置内の係合部材に係合させて、ドライブ装置内での位置決めを確実にするためのノッチ１０ａが設けられている。
【００１５】
上記上下シェルハーフ１１、１２はともに一例としてポリエチレンから形成されている。上シェルハーフ１１は、下シェルハーフ１２とともにケース本体を構成する本体部１１ａおよび、それと一体的に形成されてケース１０の前側面部分（つまり該ケース１０のドライブ装置に対する挿入方向前方側の側面）を構成する断面略コ字状のシャッター部１１ｂとから構成されている。シャッター部１１ｂは、円の一部を切り取った平面形状を有し、本体部１１ａとはヒンジ結合している。すなわちこのシャッター部１１ｂは、樹脂が薄肉とされた部分であるヒンジ軸Ｈを中心にして、図２の矢印Ｒ方向に揺動自在とされている。
【００１６】
図１と図２はそれぞれ、シャッター部１１ｂが上記のケース前側面部分を閉じる閉位置、ケース前側面部分を開放する開位置にある状態を示している。以下図３を参照して、シャッター部１１ｂが上記閉位置から開位置に移動する動作について説明する。
【００１７】
磁気ディスクカートリッジ１の非使用時、シャッター部１１ｂは図３の（１）に示すように本体部１１ａに密接、結合して、ケース前側面部分を閉じている。このときケース１０は、下シェルハーフ１２のスピンドル挿入用開口１２ａ（図２参照）を除けば、その内外を連通する開口部分は持たない状態となっており、よって該ケース内に外部から塵埃等が侵入し難くなっている。
【００１８】
磁気ディスクカートリッジ１を使用する際に、該磁気ディスクカートリッジ１は図３（１）に矢印Ａで動きを示すように、ケース１０の前側面（同図の右端面）側から、ドライブ装置に挿入される。こうしてケース１０が所定位置まで押し込まれると、その前側面がドライブ装置の１対のＬ字型のシャッター駆動部材２０に当接する。なおこのときケース１０は、ドライブ装置のガイド部材２１によって上方位置が規定された状態で押し込まれる。
【００１９】
ケース１０の前側面が上記シャッター駆動部材２０に当接すると、次に図３（２）に矢印Ｂで動きを示すように、ケース１０は図示外の上下動機構により下方に降ろされる。なお、この下降動を始めるときのケース１０の上面位置を、図３（２）中に２点鎖線で示す。
【００２０】
こうしてケース１０が下降すると、シャッター部１１ｂが上記シャッター駆動部材２０の先端に掛かって相対的に下から上方に押されるので、ヒンジ軸Ｈを中心に揺動して本体部１１ａから離れるようになる。なおシャッター駆動部材２０は図示しないバネ等により、図３中で左方に付勢されており、シャッター部１１ｂの揺動に伴い、この付勢に抗して矢印Ｃで示すように図中右方に退避動する。
【００２１】
ケース１０が所定距離だけ下降すると、シャッター部１１ｂは図３（２）に示されている位置まで跳ね上げられ、ケース１０の前側面部分を開放する状態となる。この状態においては、ケース内部の磁気ディスクメディア１５の一部が露出する。そこで図２に示すように、ケース１０の開放した部分からドライブ装置の磁気ヘッドアーム２３がケース内に挿入され、その先端に固定された１対の磁気ヘッド２４、２４が磁気ディスクメディア１５に接触させられる。それにより、該磁気ヘッド２４を用いて磁気ディスクメディア１５に情報が記録され、あるいは磁気ディスクメディア１５の記録情報が読み取られるようになる。
【００２２】
なお、ドライブ装置において１対のシャッター駆動部材２０は、図２に示すようにケース１０の幅方向（同図中の左右方向）中央位置から左右に外れた位置に配設されている。それに対して磁気ヘッドアーム２３は、ケース１０の幅方向中央位置に配設されているので、これらのシャッター駆動部材２０と磁気ヘッドアーム２３とが干渉することはない。また、シャッター駆動部材２０の先端部にはゴム等の弾性部材２０ａが取り付けられ、シャッター部１１ｂにはこの弾性部材２０ａが接触するようにして、該シャッター部１１ｂに損傷を与えないように考慮されている。
【００２３】
磁気ディスクカートリッジ１をドライブ装置から取り出す際には、まず前述の上下動機構によりケース１０が図３（２）の状態から、同図（１）の位置まで上方に移動される。それによりシャッター部１１ｂは、内側を向いた先端部が下シェルハーフ１２の先端部に接する状態となる。
【００２４】
次に図示外のイジェクト機構により、ケース１０は図３（１）の矢印Ａと反対方向に移動され、後端つまり押込み部１３（図１参照）の有る部分がドライブ装置から飛び出す状態にされる。このようにケース１０が後端側に移動するとき、シャッター部１１ｂはドライブ装置のガイド部材２１によって上から押さえ付けられるので、その先端の折り返し部に形成されている係合凹部１１ｃが、下シェルハーフ１２の先端部に形成されている係合突起１２ｃと係合し、該シャッター部１１ｂは下シェルハーフ１２と一体化して、容易には離れない状態となる。こうしてケース１０の前側面部分は再びシャッター部１１ｂによって閉じられ、その内部に塵埃等が侵入することが防止される。このケース１０は、押込み部１３の近辺を把持して引き抜くことにより、ドライブ装置から取り出される。
【００２５】
以上説明した通り本実施の形態の磁気ディスクカートリッジ１は、シャッター部１１ｂがケース本体と一体的に形成されて、シャッター部１１ｂがケース本体に対して揺動して開閉するように構成されているので、従来の磁気ディスクカートリッジにおけるようにシャッターの摺動に起因して擦れ粉が発生することがない。またこのようなシャッター開閉構造を採用しているので、シャッターをケースに対して摺動させる場合のようにそれら両者間にクリアランスを設定する必要が無く、そこでケース１０の内外間の隔絶性が高くて、磁気ディスクメディア１５に対する防塵効果が高いものとなっている。さらに、ケースとシャッターとが別部品になっていないので、落下による破損も起き難いものとなる。
【００２６】
なお、上記実施の形態において、シャッター部１１ｂは断面略コ字状のものとされているが、シャッター部の形状はそれに限られるものではなく、その他例えば断面Ｌ字状や断面Ｉ字状の形状とされてもよい。
【００２７】
また上シェルハーフ１１のシャッター部１１ｂと本体部１１ａとを密着、結合させるためには、図４に示すように、係合凹部１１ｃを有するシャッター部１１ｂと、係合突起１２ｃを有する下シェルハーフ１２の先端面をそれぞれ斜めに形成して、係合凹部１１ｃと係合突起１２ｃとの係合を確実化するようにしてもよい。また図５に示すように、上記とは反対に、シャッター部１１ｂに係合突起１１ｄを、下シェルハーフ１２に係合凹部１２ｄを設けてもよい。さらに図６に示すように、シャッター部１１ｂ側の係合突起１１ｆおよび下シェルハーフ１２側の係合凹部１２ｆを、若干角張った断面形状を有するものとして形成することも可能である。
【００２８】
一方、本発明におけるシャッター部およびケース本体部を形成する樹脂としては、上記実施の形態におけるポリエチレンに限らず、その他ポリプロピレン等の熱可塑性樹脂も好適に用いることができる。
【００２９】
また以上説明した実施の形態は、いわゆる１．８インチタイプの磁気ディスクカートリッジに本発明を適用したものであるが、本発明はその種の磁気ディスクカートリッジに限らず、例えば、従来公知のいわゆる３．５インチタイプのフロッピディスク（登録商標）カートリッジ等に対しても適用可能であり、そうした場合にも上記と同様の効果を奏するものである。
【図面の簡単な説明】
【図１】本発明の一実施形態による磁気ディスクカートリッジの平面図
【図２】上記磁気ディスクカートリッジの一部を示す側断面図
【図３】上記磁気ディスクカートリッジのシャッター部の動作を説明する説明図
【図４】本発明の別の実施形態による磁気ディスクカートリッジの一部を示す側断面図
【図５】本発明のさらに別の実施形態による磁気ディスクカートリッジの一部を示す側断面図
【図６】本発明のさらに別の実施形態による磁気ディスクカートリッジの一部を示す側断面図
【符号の説明】
１　　磁気ディスクカートリッジ
１０　　ケース
１１　　上シェルハーフ
１１ａ　　上シェルハーフの本体部
１１ｂ　　上シェルハーフのシャッター部
１１ｃ　　係合凹部
１１ｄ、１１ｆ　　係合突起
１２　　下シェルハーフ
１２ｃ　　係合突起
１２ｄ、１２ｆ　　係合凹部
１４　　センタコア
１５　　磁気ディスクメディア
２０　　シャッター駆動部材
２１　　ガイド部材
【図１】
2004013992.tif 000003
【図２】
2004013992.tif 000004
【図３】
2004013992.tif 000005
【図４】
2004013992.tif 000006
【図５】
2004013992.tif 000007
【図６】
2004013992.tif 000008